(57)【特許請求の範囲】
【請求項１】
隣接する硬質合成樹脂製の薄板状の側板の端部に軟質合成樹脂よりなるヒンジ部の両端部を重複して折り畳み自在に一体に連設することでヒンジ部を介して４枚の側板を扁平状に折り畳むことができるようにした合成樹脂製折り畳み箱であって、薄板状の側板のヒンジ部との重複部の部位を内面側に膨出させて該重複部の板厚を側板の他の部位の板厚よりも肉厚に形成して成ることを特徴とする合成樹脂製折り畳み箱。
【発明の詳細な説明】
【技術分野】
【０００１】
本発明は、合成樹脂製折り畳み箱に関するものである。
【背景技術】
【０００２】
従来から特許文献１により合成樹脂製折り畳み箱が知られている。この従来例にあっては、硬質合成樹脂製の底板の対向する一対の辺にヒンジにより硬質合成樹脂製の一対の側板を起倒自在に取付けると共に底板の対向する他の一対の辺にヒンジにより硬質合成樹脂製の他の一対の側板を起倒自在に取付け、一方の一対の側板を起立させた後に、他の一対の側板を起立させ、隣接する側板の端部同士を凹凸係合により係合して箱形状とするようにしたものである。
【０００３】
この従来例にあっては、一方の一対の側板を起立させた後に、他の一対の側板を起立させ、隣接する側板の端部同士を凹凸係合により係合するので、段ボール箱などに比べて箱状に組み立てるのに手間がかかり、また、隣接する側板同士が一体に接続されたものではなく、起立した状態で隣接する側板の端部同士を凹凸係合により係合するものであるから、箱形状にした後に係合が外れるおそれがあり、特に箱形状に組み立てて内部に収納物を入れた状態で上下に多段に積み重ねた場合、隣接する側板の端部同士のなすコーナー部分に主として上方からの荷重がかかるが、このコーナ部分に集中してかかかる荷重により側板の端縁部が座屈して撓んだり、あるいは、上記側板の端部が撓むことで凹凸係合部分が破損したり、外れたりし易いという問題があった。
【特許文献１】特開２００４−２６８９７２号公報
【発明の開示】
【発明が解決しようとする課題】
【０００４】
本発明は上記の従来の問題点に鑑みて発明したものであって、段ボール箱と同じように箱状に組み立てたり折り畳んだりするのが簡単にでき、また、補強リブなどを設けることを極力さけて軽量化（薄肉化）を達成しながら上方からの荷重が隣接する側板同士のなすコーナ部分に集中してかかっても簡単な構成でコーナ部分が変形しないようにできる合成樹脂製折り畳み箱を提供することを課題とするものである。
【課題を解決するための手段】
【０００５】
上記課題を解決するために本発明に係る合成樹脂製折り畳み箱は、隣接する硬質合成樹脂製の薄板状の側板１の端部に軟質合成樹脂よりなるヒンジ部２の両端部を重複して折り畳み自在に一体に連設することでヒンジ部２を介して４枚の側板１を扁平状に折り畳むことができるようにした合成樹脂製折り畳み箱であって、薄板状の側板１のヒンジ部２との重複部３の部位を内面側に膨出させて該重複部３の部位の板厚を側板１の他の部位の板厚よりも肉厚に形成して成ることを特徴とするものである。
【０００６】
このような構成とすることで、隣接する硬質合成樹脂製の薄板状の側板１同士を軟質合成樹脂よりなるヒンジ部２で折り畳み自在に一体に連設してヒンジ部２を介して４枚の側板１を扁平状に折り畳むことができるようにしてあるので、軟質合成樹脂よりなるヒンジ部２部分を介して隣接する側板１同士を回動することで簡単に側板１同士を折り畳んで扁平状にしたり、あるいは、箱状に組み立てたりできるものであり、しかも、ヒンジ部２が軟質合成樹脂であるため、硬質合成樹脂でＶ字状に薄肉にしたヒンジに比べて繰り返し折り曲げに対して耐用年数が長くなるものであり、更に、従来のように箱状に組み立てた際に隣接する側板同士を凹凸係合で着脱自在に接続するものに比べて隣接する側板１の端部同士が離れたりすることがなく、また、箱状に組み立てた状態でコーナ部分に上方からの荷重が集中して作用しても、薄板状の側板１のヒンジ部２との重複部３の部位を内面側に膨出させて該重複部３の板厚を側板１の他の部位の板厚よりも肉厚に形成してあることで、コーナ部分における撓みを確実に防止でき、リブなどを形成しなくても上記のように薄板状の側板１のヒンジ部２との重複部３又は重複部３の近傍の部位を厚肉にすることでコーナ部の撓みを防止できるので、リブを極力さけて軽量（薄肉）で内外寸法差の少ない合成樹脂製折り畳み箱とすることができて、段ボール箱との互換性のある合成樹脂製折り畳み箱を提供できる。
【発明の効果】
【０００７】
本発明は、合成樹脂製折り畳み箱において、段ボール箱と同じように箱状に組み立てたり折り畳んだりするのが簡単にでき、また、補強リブなどを設けることを極力さけて軽量化（薄肉化）を達成しながら上方からの荷重が隣接する側板同士のなすコーナ部分に集中してかかっても簡単な構成でコーナ部分が変形しないようにでき、段ボール箱との互換性のある合成樹脂製折り畳み箱を提供できる。
【発明を実施するための最良の形態】
【０００８】
以下、本発明を添付図面に示す実施形態に基いて説明する。
【０００９】
図１乃至図４には本発明の合成樹脂製折り畳み箱４の一実施形態が示してあり、本実施形態に示す合成樹脂製折り畳み箱４は、隣接する側板１同士をヒンジ部２により折り畳み自在に連設した４枚の薄板状の側板１と、４枚の側板１の下端縁に沿って底板用ヒンジ部５を介して折り畳み自在に連設した４枚の薄板状の底板６と、１乃至複数の側板１の上端縁に沿って蓋板用ヒンジ部７を介して折り畳み自在に連設した１乃至複数の薄板状の蓋板８とで構成してある。
【００１０】
４枚の側板１、４枚の底板６、１乃至複数の蓋板８は硬質合成樹脂により成形してあり、また、隣合う側板１同士を連設するヒンジ部２、側板１と底板６とを連設する底板用ヒンジ部５、側板１と蓋板８とを連設する蓋板用ヒンジ部７はいずれも軟質合成樹脂により薄板状に形成してある。
【００１１】
上記のような合成樹脂製折り畳み箱４は合成樹脂の二色成形で例えば、図４に示す展開図のように成形するものである。すなわち、ＰＰ（ポリプロピレン）、ＰＥ（ポリエチレン）、ＨＤＰＥ（高密度ポリエチレン）、ＰＣ（ポリカーボネート）、ＰＶＣ（塩化ビニル樹脂）、ＡＢＳ樹脂等の硬質合成樹脂を一次射出成形して側板１、底板６、蓋板８を成形し、その後、ＴＰＥ（エラストマー）、ＬＤＰＥ（低密度ポリエチレン）、ＥＶＡ（エチレン酢酸ビニルコポリマー）等の軟質合成樹脂を二次射出成形してヒンジ部２、底板用ヒンジ部５、蓋板用ヒンジ部７を側板１、底板６、蓋板８に対して積層一体化するように形成することで、同一射出成形用金型装置によって一体に成形することができる。このようにヒンジ部２、底板用ヒンジ部５、蓋板用ヒンジ部７を軟質合成樹脂の二次射出成形で側板１、底板６、蓋板８に対して積層一体化するように形成することで、硬質合成樹脂でＶ字状に薄肉にしたヒンジに比べて繰り返し折り曲げに対して破損し難くて耐用年数が長くなる。
【００１２】
ここで、４枚の側板１の端部同士のなす４つのコーナ部分のうち３つのコーナ部分においては、図４のように軟質合成樹脂よりなる板状のヒンジ部７の両端部を隣接する側板１の両端部の外面に積層一体化するように二色成形により成形するのであるが、残りの１つのコーナ部分となる隣合う２枚の側板１のうち一方の側板１の端部には板状のヒンジ部７の一端部を積層一体化するように二色成形により形成してあるが、この板状のヒンジ部７の他端部は自由端となっていて、隣接する他方の側板１の端部に二色成形で一体化してない。そして、箱状に組み立てる場合には上記先端が自由端となった板状のヒンジ部７の先端部を隣接する他方の側板１の外面に重ねて接着剤で接着したり、あるいは、接着テープで接着したり、あるいは、止め具を用いて接続したりすることで、４枚の側板１同士を板状をした軟質合成樹脂よりなるヒンジ部２を介して連設して段ボール箱と同様に図３のようにヒンジ部２を介して４枚の側板１を箱状に組み立てたり、図３のようにヒンジ部２を介して４枚の側板１を偏平状態に折り畳むことができるようになっている。また、底板４も角筒状に組み立てた側板１に対して直角となるように倒すことで底板４同士を重ねて段ボール箱と同様にして底を形成でき、偏平状態に折り畳んだ側板１に対して面一となるように展延することで図３のように薄く折り畳むことができる。また、蓋板８は角筒状に組み立てた側板１に対して直角となるように倒すことで角筒状の上開口を蓋をすることができ、偏平状態に折り畳んだ側板１に対して面一となるように展延することで図３のように薄く折り畳むことができる。
【００１３】
本実施形態においては、図１に示すように、硬質合成樹脂により成形した薄板状の側板１はヒンジ部２との重複部３又は重複部３の近傍の部位の板厚ｔ１が側板１の他の部位の板厚ｔ２よりも肉厚に形成してあり、この厚肉となった部分が厚肉部９となっている。つまり、側板１同士のなすコーナ部分において側板１の板厚を他の部位の板厚よりも肉厚にしてあることで、厚肉部９により軟質合成樹脂よりなるヒンジ部２を介して連設した硬質合成樹脂よりなる薄板状の側板１の側端部同士のなすコーナ部分の強度を強くしてある。
【００１４】
上記の構成の合成樹脂製折り畳み箱４は隣接する硬質合成樹脂製の薄板状の側板１同士を軟質合成樹脂よりなるヒンジ部２で折り畳み自在に一体に連設してあるので、軟質合成樹脂よりなるヒンジ部２部分を介して隣接する側板１同士を回動することで簡単に側板１同士を折り畳んだり、あるいは、箱状に組み立てたりでき、また、従来のように箱状に組み立てた際に隣接する側板同士を凹凸係合で着脱自在に接続するものに比べて隣接する側板１の端部同士が離れたりすることがない。
【００１５】
箱状に組み立てた合成樹脂製折り畳み箱４内には収納物を入れ、蓋板８を倒して上開口部を閉じる。この収納状態で搬送、保管する際、合成樹脂製折り畳み箱４を上下に多段に積み重ねて搬送、保管する。このように多段に積み重ねた場合、下段の合成樹脂製折り畳み箱４への上からの荷重は主として側板１同士のなすコーナ部分に集中してかかるのであるが、上記のように薄板状の側板１のヒンジ部２との重複部３又は重複部３の近傍の部位の板厚を側板１の他の部位の板厚よりも肉厚に形成してあるので、コーナ部分における撓みを確実に防止できることになる。このように、リブなどを形成しなくても上記のように薄板状の側板１のヒンジ部２との重複部３又は重複部３の近傍の部位を厚肉にすることで厚肉部９によりコーナ部の撓みを防止できるので、リブを極力さけて軽量（薄肉）で内外寸法差の少ない段ボール箱との互換性のある合成樹脂製折り畳み箱４とすることができる。
【００１６】
なお、本発明においては、隣接する硬質合成樹脂製の薄板状の側板１同士を軟質合成樹脂よりなるヒンジ部２で折り畳み自在に一体に連設した合成樹脂製折り畳み箱４を形成するに当たって、図４の展開図に示すようなものにのみ限定されないのはもちろんである。
【図面の簡単な説明】
【００１７】
【図１】本発明の合成樹脂製折り畳み箱の水平断面図である。
【図２】同上の組み立て状態の斜視図である。
【図３】同上の折り畳み状態の斜視図である。
【図４】同上の展開図である。
【符号の説明】
【００１８】
１  側板
２  ヒンジ部
３  重複部
【図１】
0004681367.tif 000002
【図２】
0004681367.tif 000003
【図３】
0004681367.tif 000004
【図４】
0004681367.tif 000005